(57)【要約】【課題】オープン出納機と現金処理機の間で現金の移動が正常に行われたか否かを、効率的に管理する。【解決手段】識別情報付与部１２０は、取引開始情報受信部１１０が受信した取引開始情報に対して取引識別情報を付与する。取引情報記憶部１３０は、取引開始情報及び取引識別情報を互いに対応付けて記憶する。取引完了情報受信部１５０は、オープン出納機４００から、移動が完了した旨を示す取引完了情報を、取引識別情報に対応付けて受信する。取引完了処理部１６０は、取引完了情報受信部１５０が受信した取引識別情報に対応して取引情報記憶部１３０に記憶されている移動の内容と、オープン出納機４００が取得した移動の内容が一致しているときに、移動が完了したことを示す移動完了情報を取引識別情報に対応付けて取引情報記憶部１３０に記憶させる。【選択図】図２
2012190176.tif 000002
【特許請求の範囲】
【請求項１】
金融機関の店舗内における出納を管理する連携サーバであって、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方から受信する取引開始情報受信手段と、
前記取引開始情報受信手段が受信した前記取引開始情報に対して取引識別情報を付与する識別情報付与手段と、
前記取引開始情報及び前記取引識別情報を互いに対応付けて記憶する取引情報記憶手段と、
前記勘定系端末及び前記オープン出納機の他方から、前記移動が完了した旨を示す取引完了情報を、前記取引識別情報に対応付けて受信する取引完了情報受信手段と、
前記取引完了情報受信手段が受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる取引完了処理手段と、
を備える連携サーバ。
【請求項２】
請求項１に記載の連携サーバにおいて、
前記識別情報付与手段が付与した前記取引識別情報を、前記勘定系端末及び前記オープン出納機の前記一方に送信する識別情報送信手段を備える連携サーバ。
【請求項３】
請求項１又は２に記載の連携サーバにおいて、
前記勘定系端末及び前記オープン出納機の一方から、取引が未完了の情報を検索する旨の指令を受信すると、前記取引情報記憶手段から、前記移動完了情報が対応付けられていない前記取引識別情報を検索し、検索された取引識別情報に対応する前記移動の内容を前記取引情報記憶手段から読み出す取引未完了情報検索手段を備える連携サーバ。
【請求項４】
請求項１〜３のいずれか一項に記載の連携サーバにおいて、
前記勘定系端末から、当該勘定系端末に接続している前記現金処理機内の現金残高を示す第１残高情報を受信するとともに、前記オープン出納機から、当該オープン出納機内の現金残高を示す第２残高情報を受信する残高情報受信手段と、
前記残高情報受信手段が受信した前記第１残高情報及び前記第２残高情報を用いて現金保有簿を作成する集計手段と、  
を備える連携サーバ。
【請求項５】
請求項１〜４のいずれか一項に記載の連携サーバにおいて、
前記連携サーバは、前記現金処理機における出納を管理している勘定ホストサーバとは別に設けられている連携サーバ。
【請求項６】
請求項１〜５のいずれか一項に記載の連携サーバにおいて、
前記店舗の外部に設置されているセンター装置が前記取引情報記憶手段に記憶されている情報を要求している旨を示す要求情報を受信すると、前記取引情報記憶手段に記憶されている情報を前記センター装置に送信する取引情報送信手段をさらに備える連携サーバ。
【請求項７】
金融機関の店舗内に設置され、現金処理機に接続している勘定系端末であって、
前記現金処理機から前記店舗内のオープン出納機に現金又は手形が移動される旨を示す取引開始情報を、連携サーバに送信する取引開始情報送信手段と、
前記オープン出納機から前記現金処理機に現金又は手形が移動され、かつ当該移動に対して付与された取引識別情報が入力されたときに、当該移動が終了した旨を示す取引完了情報及び前記取引識別情報を前記連携サーバに送信する取引完了情報送信手段と、
を備える勘定系端末。
【請求項８】
請求項７に記載の勘定系端末において、
前記連携サーバから、前記取引開始情報に対して付与された取引識別情報を受信し、受信した前記取引識別情報を出力する識別情報出力手段をさらに備える勘定系端末。
【請求項９】
請求項７又は８に記載の勘定系端末において、
前記現金処理機における出納を示す出納データを、前記連携サーバとは別に設けられている勘定ホストサーバに送信する勘定情報送信手段を備える勘定系端末。
【請求項１０】
金融機関の店舗内に設置されたオープン出納機であって、
前記オープン出納機から前記店舗内の現金処理機に現金又は手形が移動される旨を示す取引開始情報を、連携サーバに送信する取引開始情報送信手段と、
前記現金処理機から前記オープン出納機に現金又は手形が移動され、かつ当該移動に対して付与された取引識別情報が入力されたときに、当該移動が終了した旨を示す取引完了情報及び前記取引識別情報を前記連携サーバに送信する取引完了情報送信手段と、
を備えるオープン出納機。
【請求項１１】
請求項１０に記載のオープン出納機において、
前記連携サーバから、前記取引開始情報に対して付与された取引識別情報を受信し、受信した取引識別情報を出力する識別情報出力手段と、
を備えるオープン出納機。
【請求項１２】
金融機関の店舗内における出納を管理する出納管理システムであって、
連携サーバと、
現金処理機に接続している勘定系端末と、
オープン出納機と、
を備え、
前記連携サーバは、
前記現金処理機と、前記オープン出納機との間で現金又は手形の移動が行われる旨を示すとともに、当該移動の内容を示す取引開始情報を、前記勘定系端末及び前記オープン出納機の一方から受信する取引開始情報受信手段と、
前記取引開始情報受信手段が受信した前記取引開始情報に対して取引識別情報を付与する識別情報付与手段と、
前記取引開始情報及び前記取引識別情報を互いに対応付けて記憶する取引情報記憶手段と、
前記勘定系端末及び前記オープン出納機の他方から、前記移動が完了した旨を示す取引完了情報を、前記取引識別情報に対応付けて受信する取引完了情報受信手段と、
前記取引完了情報受信手段が受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる取引完了処理手段と、
を有し、
前記勘定系端末は、
前記現金処理機から前記オープン出納機に現金又は手形が移動される旨を示す前記取引開始情報を、連携サーバに送信する取引開始情報送信手段と、
前記オープン出納機から前記現金処理機に現金又は手形が移動され、かつ当該移動に対して付与された前記取引識別情報が入力されたときに、当該移動が終了した旨を示す前記取引完了情報及び前記取引識別情報を前記連携サーバに送信する取引完了情報送信手段と、
を有し、
前記オープン出納機は、
前記オープン出納機から前記現金処理機に現金又は手形が移動される旨を示す前記取引開始情報を、連携サーバに送信する取引開始情報送信手段と、
前記現金処理機から前記オープン出納機に現金又は手形が移動され、かつ当該移動に対して付与された取引識別情報が入力されたときに、当該移動が終了した旨を示す前記取引完了情報及び前記取引識別情報を前記連携サーバに送信する取引完了情報送信手段と、
を有する出納管理システム。
【請求項１３】
コンピュータを用いて、金融機関の店舗内における出納を管理する出納管理方法であって、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方からコンピュータが受信し、
前記コンピュータが、前記取引開始情報に対して取引識別情報を付与し、
前記コンピュータが、取引情報記憶手段に、前記取引開始情報及び前記取引識別情報を互いに対応付けて記憶させ、
前記コンピュータが、前記勘定系端末及び前記オープン出納機の他方から、前記移動が完了した旨を示す取引完了情報を、前記取引識別情報に対応付けて受信し、
前記コンピュータが、受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる、出納管理方法。
【請求項１４】
コンピュータを、金融機関の店舗内における出納を管理する連携サーバとして機能させるためのプログラムであって、
コンピュータに、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方から受信する機能と、
前記取引開始情報に対して取引識別情報を付与する機能と、
取引情報記憶手段に、前記取引開始情報及び前記取引識別情報を互いに対応付けて記憶させる機能と、
前記勘定系端末及び前記オープン出納機の他方から、前記移動が完了した旨を示す取引完了情報を、前記取引識別情報に対応付けて受信する機能と、
受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる機能と、
を実現させるプログラム。
【請求項１５】
金融機関の店舗内に設置されていて現金処理機に接続している勘定系端末で使用されるプログラムであって、
前記勘定系端末に、
前記現金処理機から前記店舗内のオープン出納機に現金又は手形が移動される旨を示す取引開始情報を、連携サーバに送信する機能と、
前記オープン出納機から前記現金処理機に現金又は手形が移動され、かつ当該移動に対して付与された取引識別情報が入力されたときに、当該移動が終了した旨を示す取引完了情報及び前記取引識別情報を前記連携サーバに送信する機能と、
を実現させるプログラム。
【請求項１６】
金融機関の店舗内に設置されたオープン出納機で使用されるプログラムであって、
前記オープン出納機から前記店舗内の現金処理機に現金又は手形が移動される旨を示す取引開始情報を、連携サーバに送信する機能と、
前記現金処理機から前記オープン出納機に現金又は手形が移動され、かつ当該移動に対して付与された取引識別情報が入力されたときに、当該移動が終了した旨を示す取引完了情報及び前記取引識別情報を前記連携サーバに送信する機能と
を実現させるプログラム。
【発明の詳細な説明】
【技術分野】
【０００１】
本発明は、連携サーバ、勘定系端末、オープン出納機、出納管理システム、出納管理方法、及びプログラムに関する。
【背景技術】
【０００２】
銀行などの金融機関の各店舗には、窓口業務で使用される勘定系端末及び現金処理機、及びオープン出納機がある。オープン出納機は、店舗で使用される現金及び手形を収容している。そして各現金処理機で使用される現金及び手形は、オープン出納機から出し入れされる。
【０００３】
また、金融機関では、様々な業務の効率化が求められている。例えば特許文献１には、各店舗での現金残高を効率的に管理するために、各入出金機器から入出金情報を受信することにより、各入出金機器における現金残高を算出するシステムが開示されている。
【０００４】
また特許文献２には、ホストコンピュータに出金伝票を入力し、この入力伝票を各店舗の出納機に転送することにより、出納機から出金することが開示されている。
【先行技術文献】
【特許文献】
【０００５】
【特許文献１】特開２００３−１６８００１号公報
【特許文献２】特開２００３−２２３５５７号公報
【発明の概要】
【発明が解決しようとする課題】
【０００６】
オープン出納機から出金される金額と、現金処理機へ入金される金額とは互いに一致している必要がある。同様に、現金処理機からオープン出納機に納めるために出金される金額と、オープン出納機へ入金される金額とは互いに一致している必要がある。このため、これら２つの装置の間での現金及び手形等の移動が正常に行われたか否かを、管理する必要がある。
【０００７】
本発明の目的は、オープン出納機と現金処理機の間での現金及び手形等の移動が正常に行われたか否かを、効率的に管理することができる連携サーバ、勘定系端末、オープン出納機、出納管理システム、出納管理方法、及びプログラムを提供することにある。
【課題を解決するための手段】
【０００８】
本発明によれば、金融機関の店舗内における出納を管理する連携サーバであって、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方から受信する取引開始情報受信手段と、
前記取引開始情報受信手段が受信した前記取引開始情報に対して取引識別情報を付与する識別情報付与手段と、
前記取引開始情報及び前記取引識別情報を互いに対応付けて記憶する取引情報記憶手段と、
前記勘定系端末及び前記オープン出納機の他方から、前記移動が完了した旨を示す取引完了情報を、前記取引識別情報に対応付けて受信する取引完了情報受信手段と、
前記取引完了情報受信手段が受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる取引完了処理手段と、
を備える連携サーバが提供される。
【０００９】
本発明によれば、金融機関の店舗内に設置され、現金処理機に接続している勘定系端末であって、
前記現金処理機から前記店舗内のオープン出納機に現金又は手形が移動される旨を示す取引開始情報を、連携サーバに送信する取引開始情報送信手段と、
前記オープン出納機から前記現金処理機に現金又は手形が移動され、かつ当該移動に対して付与された取引識別情報が入力されたときに、当該移動が終了した旨を示す取引完了情報及び前記取引識別情報を前記連携サーバに送信する取引完了情報送信手段と、
を備える勘定系端末が提供される。
【００１０】
本発明によれば、金融機関の店舗内に設置されたオープン出納機であって、
前記オープン出納機から前記店舗内の現金処理機に現金又は手形が移動される旨を示す取引開始情報を、連携サーバに送信する取引開始情報送信手段と、
前記現金処理機から前記オープン出納機に現金又は手形が移動され、かつ当該移動に対して付与された取引識別情報が入力されたときに、当該移動が終了した旨を示す取引完了情報及び前記取引識別情報を前記連携サーバに送信する取引完了情報送信手段と、
を備えるオープン出納機が提供される。
【００１１】
本発明によれば、金融機関の店舗内における出納を管理する出納管理システムであって、
連携サーバと、
現金処理機に接続している勘定系端末と、
オープン出納機と、
を備え、
前記連携サーバは、
前記現金処理機と、前記オープン出納機との間で現金又は手形の移動が行われる旨を示すとともに、当該移動の内容を示す取引開始情報を、前記勘定系端末及び前記オープン出納機の一方から受信する取引開始情報受信手段と、
前記取引開始情報受信手段が受信した前記取引開始情報に対して取引識別情報を付与する識別情報付与手段と、
前記取引開始情報及び前記取引識別情報を互いに対応付けて記憶する取引情報記憶手段と、
前記勘定系端末及び前記オープン出納機の他方から、前記移動が完了した旨を示す取引完了情報を、前記取引識別情報に対応付けて受信する取引完了情報受信手段と、
前記取引完了情報受信手段が受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる取引完了処理手段と、
を有し、
前記勘定系端末は、
前記現金処理機から前記オープン出納機に現金又は手形が移動される旨を示す前記取引開始情報を、連携サーバに送信する取引開始情報送信手段と、
前記オープン出納機から前記現金処理機に現金又は手形が移動され、かつ当該移動に対して付与された前記取引識別情報が入力されたときに、当該移動が終了した旨を示す前記取引完了情報及び前記取引識別情報を前記連携サーバに送信する取引完了情報送信手段と、
を有し、
前記オープン出納機は、
前記オープン出納機から前記現金処理機に現金又は手形が移動される旨を示す前記取引開始情報を、連携サーバに送信する取引開始情報送信手段と、
前記現金処理機から前記オープン出納機に現金又は手形が移動され、かつ当該移動に対して付与された取引識別情報が入力されたときに、当該移動が終了した旨を示す前記取引完了情報及び前記取引識別情報を前記連携サーバに送信する取引完了情報送信手段と、
を有する出納管理システムが提供される。
【００１２】
本発明によれば、コンピュータを用いて、金融機関の店舗内における出納を管理する出納管理方法であって、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方からコンピュータが受信し、
前記コンピュータが、前記取引開始情報に対して取引識別情報を付与し、
前記コンピュータが、取引情報記憶手段に、前記取引開始情報及び前記取引識別情報を互いに対応付けて記憶させ、
前記コンピュータが、前記勘定系端末及び前記オープン出納機の他方から、前記移動が完了した旨を示す取引完了情報を、前記取引識別情報に対応付けて受信し、
前記コンピュータが、受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる、出納管理方法が提供される。
【００１３】
本発明によれば、コンピュータを、金融機関の店舗内における出納を管理する連携サーバとして機能させるためのプログラムであって、
コンピュータに、
勘定系端末に接続している現金処理機と、前記店舗内のオープン出納機との間で現金又は手形の移動が行われる旨を示すとともに、当該移動の内容を示す取引開始情報を、前記勘定系端末及び前記オープン出納機の一方から受信する機能と、
前記取引開始情報に対して取引識別情報を付与する機能と、
取引情報記憶手段に、前記取引開始情報及び前記取引識別情報を互いに対応付けて記憶させる機能と、
前記勘定系端末及び前記オープン出納機の他方から、前記移動が完了した旨を示す取引完了情報を、前記取引識別情報に対応付けて受信する機能と、
受信した前記取引識別情報に対応して前記取引情報記憶手段に記憶されている前記移動の内容と、前記他方が取得した前記移動の内容が一致しているときに、前記移動が完了したことを示す移動完了情報を前記取引識別情報に対応付けて前記取引情報記憶手段に記憶させる機能と、
を実現させるプログラムが提供される。
【００１４】
本発明によれば、金融機関の店舗内に設置されていて現金処理機に接続している勘定系端末で使用されるプログラムであって、
前記勘定系端末に、
前記現金処理機から前記店舗内のオープン出納機に現金又は手形が移動される旨を示す取引開始情報を、連携サーバに送信する機能と、
前記オープン出納機から前記現金処理機に現金又は手形が移動され、かつ当該移動に対して付与された取引識別情報が入力されたときに、当該移動が終了した旨を示す取引完了情報及び前記取引識別情報を前記連携サーバに送信する機能と、
を実現させるプログラムが提供される。
【００１５】
本発明によれば、金融機関の店舗内に設置されたオープン出納機で使用されるプログラムであって、
前記オープン出納機から前記店舗内の現金処理機に現金又は手形が移動される旨を示す取引開始情報を、連携サーバに送信する機能と、
前記現金処理機から前記オープン出納機に現金又は手形が移動され、かつ当該移動に対して付与された取引識別情報が入力されたときに、当該移動が終了した旨を示す取引完了情報及び前記取引識別情報を前記連携サーバに送信する機能と
を実現させるプログラムが提供される。
【発明の効果】
【００１６】
本発明によれば、オープン出納機と現金処理機の間での現金及び手形等の移動が正常に行われたか否かを、効率的に管理することができる。
【図面の簡単な説明】
【００１７】
【図１】第１の実施形態に係る出納管理システムの構成を示すブロック図である。
【図２】連携サーバの機能構成を示すブロック図である。
【図３】取引情報記憶部のデータ構成をテーブル形式で示す図である。
【図４】勘定系端末の機能構成を示すブロック図である。
【図５】オープン出納機の機能構成を示すブロック図である。
【図６】図１に示した出納管理システムの第１の動作を示すフローチャートである。
【図７】図６で出金された現金を現金処理機に入金するときの処理を示すフローチャートである。
【図８】図１に示した出納管理システムの第２の動作を示すフローチャートである。
【図９】図８で出金された現金をオープン出納機に入金するときの処理を示すフローチャートである。
【図１０】図１に示した出納管理システムの第３の動作を示すフローチャートである。
【図１１】第２の実施形態に係る連携サーバの機能構成を示すブロック図である。
【図１２】第２の実施形態に係る勘定系端末の機能構成を示すブロック図である。
【図１３】第２の実施形態に係るオープン出納機の機能構成を示すブロック図である。
【図１４】出納管理システムが店舗内における現金の残高を集計するときの動作を示すフローチャートである。
【発明を実施するための形態】
【００１８】
以下、本発明の実施の形態について、図面を用いて説明する。尚、すべての図面において、同様な構成要素には同様の符号を付し、適宜説明を省略する。
【００１９】
（第１の実施形態）
図１は、第１の実施形態に係る出納管理システムの構成を示すブロック図である。この出納管理システムは、連携サーバ１００、複数の勘定系端末２００、及びオープン出納機４００を備えている。複数の勘定系端末２００は、それぞれ現金処理機３００に接続している。現金処理機３００は、金融機関の窓口業務に伴って、現金が出金されたり入金されたりする。勘定系端末２００は、現金処理機３００における出金情報及び入金情報を生成する。
【００２０】
そして、窓口業務が進むと、現金処理機３００に現金を補充したり、現金処理機３００から現金を取り出したりする必要が出てくる。オープン出納機４００は、現金処理機３００に補充すべき現金を出金したり、現金処理機３００から取り出した現金が入金される。オープン出納機４００は、オープン出納機４００における出金情報及び入金情報を生成する。
【００２１】
連携サーバ１００は、現金処理機３００及びオープン出納機４００との間で情報を送受信することにより、現金処理機３００とオープン出納機４００との間で行われる現金又は手形の移動が正常に行われた否かを、管理する。
【００２２】
また、図１に示した出納管理システムは、勘定系ホストサーバ５００を備えている。勘定系ホストサーバ５００は連携サーバ１００とは別に設けられており、現金処理機３００における現金の入出金を管理している。すなわち、金融機関の窓口業務に伴って勘定系端末２００で生成された出金情報及び入金情報は、勘定系ホストサーバ５００に送信され、勘定系ホストサーバ５００で管理される。
【００２３】
また、連携サーバ１００に格納されている情報は、店舗の外部に設置されているセンター装置６００で確認することができる。センター装置６００は、全ての店舗に設置されている連携サーバ１００に接続することができる。
【００２４】
図２は、連携サーバ１００の機能構成を示すブロック図である。連携サーバ１００は、取引開始情報受信部１１０、識別情報付与部１２０、取引情報記憶部１３０、取引完了情報受信部１５０、及び取引完了処理部１６０を備えている。取引開始情報受信部１１０は、現金処理機３００とオープン出納機４００との間で現金又は手形の移動が行われる旨を示すとともに、当該移動の内容を示す取引開始情報を、勘定系端末２００及びオープン出納機４００の一方から受信する。識別情報付与部１２０は、取引開始情報受信部１１０が受信した取引開始情報に対して取引識別情報（一連番号）を付与する。取引情報記憶部１３０は、取引開始情報及び取引識別情報を互いに対応付けて記憶する。取引完了情報受信部１５０は、勘定系端末２００及びオープン出納機４００の他方から、移動が完了した旨を示す取引完了情報を、取引識別情報に対応付けて受信する。取引完了処理部１６０は、取引完了情報受信部１５０が受信した取引識別情報に対応して取引情報記憶部１３０に記憶されている移動の内容と、勘定系端末２００及びオープン出納機４００の他方が取得した移動の内容が一致しているときに、移動が完了したことを示す移動完了情報を取引識別情報に対応付けて取引情報記憶部１３０に記憶させる。
【００２５】
また、本実施形態において連携サーバ１００は、さらに識別情報送信部１４０、取引未完了情報検索部１７０、及び取引情報送信部１８０を備えている。識別情報送信部１４０は、識別情報付与部１２０が付与した取引識別情報を、勘定系端末２００及びオープン出納機４００のうち取引開始情報を送信してきた装置に送信する。
【００２６】
取引未完了情報検索部１７０は、勘定系端末２００及びオープン出納機４００の一方から、取引が未完了の情報を検索する旨の指令を受信すると、取引情報記憶部１３０から、移動完了情報が対応付けられていない取引識別情報を検索し、検索された取引識別情報に対応する移動の内容を取引情報記憶部１３０から読み出す。そして取引未完了情報検索部１７０は、読み出した情報を、指令を送信してきた装置に送信する。
【００２７】
取引情報送信部１８０は、図１に示したセンター装置６００から、取引情報記憶部１３０に記憶されている情報を要求している旨を示す要求情報を受信すると、取引情報記憶部１３０に記憶されている情報をセンター装置６００に送信する。
【００２８】
図３は、取引情報記憶部１３０のデータ構成をテーブル形式で示す図である。取引情報記憶部１３０は、上記したように取引識別情報に対応付けて、現金及び手形の少なくとも一方の移動の内容を示す情報、及び取引が完了しているか否かを示す情報を記憶している。移動の内容を示す情報には、少なくとも金種、枚数、及び金額が含まれている。金種は、現金及び手形のいずれであるかを示している。ここで金種には、手形の種類を示す情報がさらに含まれていてもよい。枚数は、例えば金種が現金であった場合に、移動枚数を札の種類別に示す情報である。また、取引が完了しているか否かを示す情報としては、取引が完了している場合には取引完了情報であり、取引が完了していない場合は、取引が完了していない旨を示す情報である。
【００２９】
また本図に示す例では、取引情報記憶部１３０は、端末識別情報を記憶している。端末識別情報は、勘定系端末２００を相互に識別する情報である。そして取引情報記憶部１３０は、移動が行われた現金処理機３００に接続している勘定系端末２００を特定するために、その勘定系端末２００の端末識別情報を記憶している。
【００３０】
図４は、勘定系端末２００の機能構成を示すブロック図である。勘定系端末２００は、取引開始情報送信部２２０及び取引完了情報送信部２５０を有している。取引開始情報送信部２２０は、現金処理機３００からオープン出納機４００に現金又は手形が移動される旨を示す取引開始情報を、連携サーバ１００に送信する。取引完了情報送信部２５０は、オープン出納機４００から現金処理機３００に現金又は手形が移動され、かつ当該移動に対して付与された取引識別情報が入力されたときに、当該移動が終了した旨を示す取引完了情報及び取引識別情報を連携サーバ１００に送信する。
【００３１】
また本実施形態において、勘定系端末２００はさらに入力部２１０、未完了検索送信部２２５、出力部２４０（識別情報出力部）、及び勘定情報送信部２６０を備えている。入力部２１０は、勘定系端末２００のユーザからの各種の入力を受け付ける。取引開始情報送信部２２０及び取引完了情報送信部２５０は、入力部２１０を介してユーザから入力される情報に従って動作する。
【００３２】
未完了検索送信部２２５は、入力部２１０からの入力に従って、連携サーバ１００に、取引が未完了の情報を検索する旨の指令を送信する。
【００３３】
出力部２４０は、連携サーバ１００の識別情報送信部１４０から、取引開始情報送信部２２０が送信した取引開始情報に対して付与された取引識別情報を受信し、受信した取引識別情報を出力する。ここでの出力は、例えば印字や、携帯端末への転送が含まれる。
【００３４】
勘定情報送信部２６０は、現金処理機３００から受信した情報に基づいて、その現金処理機３００における出納を示す出納データを生成し、生成した出納データを勘定系ホストサーバ５００に送信する。
【００３５】
図５は、オープン出納機４００の機能構成を示すブロック図である。オープン出納機４００は、取引開始情報送信部４２０及び取引完了情報送信部４５０を備えている。取引開始情報送信部４２０は、オープン出納機４００から現金処理機３００に現金又は手形が移動される旨を示す取引開始情報を、連携サーバ１００に送信する。取引完了情報送信部４５０は、現金処理機３００からオープン出納機４００に現金又は手形が移動され、かつ当該移動に対して付与された取引識別情報が入力されたときに、当該移動が終了した旨を示す取引完了情報及び取引識別情報を連携サーバ１００に送信する。
【００３６】
また、本実施形態において、オープン出納機４００は、さらに入力部４１０、出力部４４０（識別情報出力部）、及び現金処理部４６０を備えている。入力部４１０は、オープン出納機４００を操作する操作者からの各種の入力を受け付ける。取引開始情報送信部４２０及び取引完了情報送信部４５０は、入力部４１０を介して操作者から入力される情報に従って動作する。
【００３７】
出力部４４０は、連携サーバ１００の識別情報送信部１４０から、取引開始情報送信部４２０が送信した取引開始情報に対して付与された取引識別情報を受信し、受信した取引識別情報を出力する。ここでの出力は、例えば印字や、携帯端末への転送が含まれる。
【００３８】
現金処理部４６０は、オープン出納機４００における入出金を行い、入出金された金額及び金種を示すデータを生成する。
【００３９】
なお、図２に示した連携サーバ１００の各構成要素、図４に示した勘定系端末２００の各構成要素、及び図５に示したオープン出納機４００の各構成要素は、ハードウエア単位の構成ではなく、機能単位のブロックを示している。これら各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例がある。
【００４０】
図６は、図１に示した出納管理システムの第１の動作を示すフローチャートである。本図に示す動作は、オープン出納機４００から現金処理機３００に現金が移動するときの動作を示している。
【００４１】
まず、現金の移動先となる現金処理機３００に接続している勘定系端末２００のユーザは、オープン出納機４００の入力部４１０に対して現金の払い出しの要求を入力する。ここで入力される情報には、金種、枚数、及び出金される金額が含まれる（ステップＳ１０）。オープン出納機４００の取引開始情報送信部４２０は、入力部４１０に入力された情報を、取引開始情報として連携サーバ１００に送信する（ステップＳ２０）。
【００４２】
連携サーバ１００の取引開始情報受信部１１０は、オープン出納機４００から送信されてきた取引開始情報を受信する。連携サーバ１００の識別情報付与部１２０は、取引開始情報受信部１１０が受信した取引開始情報を取引情報記憶部１３０に格納する（ステップＳ３０）。また識別情報付与部１２０は、取引開始情報受信部１１０が受信した取引開始情報に対して取引識別情報を付与し、付与した取引識別情報を取引情報記憶部１３０に格納する（ステップＳ４０）。そして連携サーバ１００の識別情報送信部１４０は、識別情報付与部１２０が付与した取引識別情報を、オープン出納機４００に対して送信する（ステップＳ５０）。
【００４３】
オープン出納機４００の出力部４４０は、連携サーバ１００から取引識別情報を受信すると、取引識別情報を受信した旨を示す情報を現金処理部４６０に出力する。現金処理部４６０は、現金の払い出し（出金）を行う（ステップＳ６０）。そして出力部４４０は、受信した取引識別情報の出力処理を行う（ステップＳ７０）。オープン出納機４００を操作しているユーザは、出力された取引識別情報を受け取る。
【００４４】
図７は、図６で出金された現金を現金処理機３００に入金するときの処理を示すフローチャートである。まず勘定系端末２００のユーザは、勘定系端末２００の入力部２１０に、図６のステップＳ７０で受け取った取引識別情報を入力する（ステップＳ１１０）。勘定系端末２００の取引完了情報送信部２５０は、入力された取引識別情報を連携サーバ１００に送信する（ステップＳ１２０）。
【００４５】
連携サーバ１００の取引完了情報受信部１５０は、取引情報記憶部１３０を検索し、勘定系端末２００から送信されてきた取引識別情報に対応付けて取引完了情報が格納されているか否かを確認する（ステップＳ１３０）。取引完了情報が格納されている場合（ステップＳ１３０：Ｎｏ）、エラー情報を勘定系端末２００に送信する。取引完了情報が格納されていない場合（ステップＳ１３０：Ｙｅｓ）、取引完了情報受信部１５０は、取引情報記憶部１３０から、その取引識別情報に対応している取引開始情報のうち、出金内容を示す出金情報（金種、枚数、及び金額）を読み出す。そして取引完了情報受信部１５０は、読み出した出金情報を勘定系端末２００に送信する（ステップＳ１４０）。
【００４６】
勘定系端末２００の取引完了情報送信部２５０は、出金情報を連携サーバ１００から受信すると、現金処理機３００に対して入金処理を行わせる（ステップＳ１５０）。現金処理機３００は、入金された金種、枚数、及び金額を示す情報を、入金情報として勘定系端末２００の取引完了情報送信部２５０に出力する。
【００４７】
取引完了情報送信部２５０は、現金処理機３００から受信した入金情報が、連携サーバ１００から受信した出金情報に一致するか否かを判断する（ステップＳ１６０）。入金情報が出金情報に一致しない場合（ステップＳ１６０：Ｎｏ）、ステップＳ１５０に戻る。入金情報が出金情報に一致する場合（ステップＳ１６０：Ｙｅｓ）、取引完了情報送信部２５０は、勘定情報送信部２６０に入金情報を出力する。勘定情報送信部２６０は、勘定系ホストサーバ５００に入金情報を送信する（ステップＳ１７０）。
【００４８】
勘定系ホストサーバ５００は、勘定系端末２００から入金情報を受信すると、勘定処理を行い、その勘定系端末２００に接続している現金処理機３００の入出金を示すデータを更新する（ステップＳ１８０）。このデータには、入出金の履歴とともに、その現金処理機３００における現金の残高が含まれている。そして勘定系ホストサーバ５００は、勘定系端末２００の勘定情報送信部２６０に、勘定処理が終了したことを示す終了情報を送信する（ステップＳ１９０）。
【００４９】
そして勘定系端末２００の取引完了情報送信部２５０は、勘定情報送信部２６０が完了情報を受信すると、現金処理機３００に対する入金処理が完了したことを示す完了情報を、その勘定系端末２００の端末識別情報に対応付けて連携サーバ１００に送信する（ステップＳ２００）。連携サーバ１００の取引完了処理部１６０は、取引完了情報受信部１５０が完了情報を受信すると、取引情報記憶部１３０を更新し、ステップＳ１２０で受信した取引識別情報に対応付けて移動完了情報及び端末識別情報を記憶させる（ステップＳ２１０）。
【００５０】
図８は、図１に示した出納管理システムの第２の動作を示すフローチャートである。本図に示す動作は、現金処理機３００からオープン出納機４００に現金（又は手形）が移動するときの動作を示している。
【００５１】
まず、現金の移動元となる現金処理機３００に接続している勘定系端末２００のユーザは、勘定系端末２００の入力部２１０に対して現金の出金の要求を入力する。ここで入力される情報には、金種、枚数、及び出金される金額が含まれる（ステップＳ３１０）。勘定系端末２００の勘定情報送信部２６０は、入力部２１０に入力された出金情報を、勘定系ホストサーバ５００に送信する（ステップＳ３２０）。
【００５２】
勘定系ホストサーバ５００は、受信した出金情報を用いてデータを更新する（ステップＳ３３０）。勘定系ホストサーバ５００は、データの更新すなわち勘定処理が終了すると、勘定処理が終了したことを示す終了情報を勘定系端末２００に送信する（ステップＳ３４０）。
【００５３】
勘定系端末２００の取引完了情報送信部２５０は、勘定情報送信部２６０が終了情報を受信すると、現金処理機３００に現金の払い出し（出金）を行わせる（ステップＳ３５０）。次いで取引開始情報送信部２２０は、現金処理機３００により現金の出金が終了したことを示す情報を取引完了情報送信部２５０から受信すると、出金情報を、取引開始情報として連携サーバ１００に送信する（ステップ３６０）。このとき取引開始情報送信部２２０は、その勘定系端末２００の端末識別情報を連携サーバ１００に送信する。
【００５４】
連携サーバ１００の取引開始情報受信部１１０は、勘定系端末２００から送信されてきた取引開始情報及び端末識別情報を受信する。連携サーバ１００の識別情報付与部１２０は、取引開始情報受信部１１０が受信した取引開始情報及び端末識別情報を取引情報記憶部１３０に格納する（ステップＳ３７０）。また識別情報付与部１２０は、取引開始情報受信部１１０が受信した取引開始情報に対して取引識別情報を付与し、付与した取引識別情報を取引情報記憶部１３０に格納する（ステップＳ３８０）。そして連携サーバ１００の識別情報送信部１４０は、識別情報付与部１２０が付与した取引識別情報を、取引開始情報を送信してきた勘定系端末２００に対して送信する（ステップＳ３９０）。
【００５５】
勘定系端末２００の出力部２４０は、連携サーバ１００から取引識別情報を受信すると、受信した取引識別情報の出力処理を行う（ステップＳ４００）。勘定系端末２００のユーザは、出力された取引識別情報を受け取る。
【００５６】
図９は、図８で出金された現金をオープン出納機４００に入金するときの処理を示すフローチャートである。まずオープン出納機４００の操作者は、オープン出納機４００の入力部４１０に、図８のステップＳ４００で出力された取引識別情報を入力する（ステップＳ５１０）。オープン出納機４００の取引完了情報送信部４５０は、入力された取引識別情報を連携サーバ１００に送信する（ステップＳ５２０）。
【００５７】
連携サーバ１００の取引完了情報受信部１５０は、取引情報記憶部１３０を検索し、オープン出納機４００から送信されてきた取引識別情報に対応付けて取引完了情報が格納されているか否かを確認する（ステップＳ５３０）。取引完了情報が格納されている場合（ステップＳ５３０：Ｎｏ）、エラー情報をオープン出納機４００に送信する。取引完了情報が格納されていない場合（ステップＳ５３０：Ｙｅｓ）、取引完了情報受信部１５０は、取引情報記憶部１３０から、その取引識別情報に対応している取引開始情報のうち、出金内容を示す出金情報（金種、枚数、及び金額）を読み出す。そして取引完了情報受信部１５０は、読み出した出金情報をオープン出納機４００に送信する（ステップＳ５４０）。
【００５８】
オープン出納機４００の取引完了情報送信部４５０は、出金情報を連携サーバ１００から受信すると、現金処理部４６０に対して入金処理を行わせる（ステップＳ５５０）。現金処理部４６０は、入金された金種、枚数、及び金額を示す情報を、入金情報として取引完了情報送信部４５０に出力する。
【００５９】
取引完了情報送信部４５０は、現金処理部４６０から受信した入金情報が、連携サーバ１００から受信した出金情報に一致するか否かを判断する（ステップＳ５６０）。入金情報が出金情報に一致しない場合（ステップＳ５６０：Ｎｏ）、ステップＳ５５０に戻る。入金情報が出金情報に一致する場合（ステップＳ５６０：Ｙｅｓ）、取引完了情報送信部４５０は、現金処理部４６０に対する入金処理が完了したことを示す完了情報を連携サーバ１００に送信する（ステップＳ５７０）。連携サーバ１００の取引完了処理部１６０は、取引完了情報受信部１５０が完了情報を受信すると、取引情報記憶部１３０を更新し、ステップＳ５２０で受信した取引識別情報に対応付けて移動完了情報を記憶させる（ステップＳ５８０）。
【００６０】
図１０は、図１に示した出納管理システムの第３の動作を示すフローチャートである。本図に示す動作は、現金の移動が完了していない取引を検出するための処理である。この処理は、任意の勘定系端末２００及び現金処理機３００で行うことができる。図１０は、勘定系端末２００を用いて行う場合を示している。
【００６１】
まず勘定系端末２００のユーザは、入力部２１０に、取引が未完了の情報を検索する旨の指令を入力する。すると未完了検索送信部２２５は、連携サーバ１００に、取引が未完了の情報を検索する旨の要求を送信する（ステップＳ６１０）。
【００６２】
連携サーバ１００の取引未完了情報検索部１７０は、勘定系端末２００からの要求に従って、取引情報記憶部１３０を検索し、取引完了情報に対応づいていない取引識別情報を検索し（ステップＳ６２０）、検索した取引識別情報に対応する出金情報を勘定系端末２００に送信する（ステップＳ６３０）。
【００６３】
勘定系端末２００の未完了検索送信部２２５は、ステップＳ６３０で受信した情報を、出力部２４０に出力させる（ステップＳ６４０）。
【００６４】
次に、本実施形態の作用及び効果について説明する。本実施形態によれば、連携サーバ１００が、オープン出納機４００からの出金情報が現金処理機３００に対する入金情報が一致しているか否かを確認し、また、現金処理機３００からの出金情報がオープン出納機４００に対する入金情報が一致しているか否かを確認する。このため、現金処理機３００とオープン出納機４００の間で現金及び手形等の移動が正常に行われたか否かを管理することができる。従って、現金処理機３００とオープン出納機４００の間の回金取引を確実に行わせることができる。
【００６５】
また、例えば既存のシステムに勘定系端末２００、現金処理機３００、オープン出納機４００、及び勘定系ホストサーバ５００を有している場合、連携サーバ１００を追加し、かつ勘定系端末２００及びオープン出納機４００に必要な機能を追加するのみで、上記した処理を行うことができる。従って、勘定系ホストサーバ５００を変更する必要がない。
【００６６】
また、例えば現金処理機３００からオープン出納機４００に現金を移動させるとき、その現金処理機３００に接続している勘定系端末２００を用いて、処理を開始することができる。従って、操作者の負担が少なくなる。
【００６７】
また、図１０に示した処理を行うことにより、任意の勘定系端末２００又は現金処理機３００から、未完了の取引（現金の移動）を検索することができる。従って、取引漏れを防ぎやすくなる。
【００６８】
また、連携サーバ１００が取引情報送信部１８０を有しているため、センター装置６００の操作者は、任意のタイミングで各店舗における取引情報を確認することができる。これにより、障害や問い合わせに対する対応を迅速化することができる。
【００６９】
（第２の実施形態）
本実施形態に係る出納管理システムは、現金処理機３００が保持している現金をオープン出納機４００に集めなくても、その店舗内における現金の残高を集計できる機能が追加されている点を除いて、第１の実施形態に係る出納管理システムと同様である。
【００７０】
図１１は、第２の実施形態に係る連携サーバ１００の機能構成を示すブロック図である。本実施形態に係る連携サーバ１００は、残高情報要求部１９２、残高情報受信部１９４、及び集計部１９６を備えている点を除いて、図２に示した連携サーバ１００と同様の構成である。残高情報要求部１９２、残高情報受信部１９４、及び集計部１９６が行う処理の詳細は、フローチャートを用いて後述する。
【００７１】
図１２は、第２の実施形態に係る勘定系端末２００の機能構成を示すブロック図である。本実施形態に係る勘定系端末２００は、帳簿作成要求送信部２７０及び残高送信部２８０を有している点を除いて、図４に示した勘定系端末２００と同様の構成である。帳簿作成要求送信部２７０及び残高送信部２８０が行う処理の詳細は、フローチャートを用いて後述する。
【００７２】
図１３は、第２の実施形態に係るオープン出納機４００の機能構成を示すブロック図である。本実施形態に係るオープン出納機４００は、残高送信部４７０を有している点を除いて、図５に示したオープン出納機４００と同様の構成である。残高送信部４７０が行う処理の詳細は、フローチャートを用いて後述する。
【００７３】
図１４は、出納管理システムが店舗内における現金の残高を集計するときの動作を示すフローチャートである。
【００７４】
まず店舗の従業員は、いずれかの勘定系端末２００の入力部２１０に、その店舗内の現金の残高を示す現金保有帳簿を作成する旨の入力を行う。すると、その勘定系端末２００の帳簿作成要求送信部２７０は、現金保有簿の作成要求を連携サーバ１００に送信する。
【００７５】
連携サーバ１００の残高情報要求部１９２は、勘定系端末２００から、現金保有簿の作成要求を受信する（ステップＳ７１０）と、各勘定系端末２００に、その勘定系端末２００が接続している現金処理機３００内の現金残高を示す第１残高情報の要求を送信する（ステップＳ７２０）。また残高情報要求部１９２は、オープン出納機４００に、オープン出納機４００内の現金残高を示す第２残高情報の要求を送信する（ステップＳ７３０）。
【００７６】
勘定系端末２００の残高送信部２８０は、連携サーバ１００から第１残高情報の要求を受信すると、現金処理機３００に、現金の残高をカウントさせる（ステップＳ７４０）。そして残高送信部２８０は、勘定系ホストサーバ５００に対して、勘定系ホストサーバ５００が管理しているデータのうち、現金処理機３００の現金残高を示す情報を要求する（ステップＳ７５０）。残高送信部２８０は、勘定系ホストサーバ５００から現金処理機３００の現金残高を示す情報を受信する（ステップＳ７６０）と、受信した情報がステップＳ７４０でカウントした値に一致するか否かを確認する（ステップＳ７７０）。一致しない場合（ステップＳ７７０：Ｎｏ）はステップＳ７４０に戻る。一致する場合（ステップＳ７７０：Ｙｅｓ）、残高送信部２８０は、連携サーバ１００に第１残高情報を送信する（ステップＳ７８０）。
【００７７】
またオープン出納機４００の残高送信部４７０は、連携サーバ１００から第２残高情報の要求を受信すると、現金処理部４６０に、現金の残高をカウントさせ、カウント結果を第２残高情報として連携サーバ１００に送信する（ステップＳ７９０）。
【００７８】
連携サーバ１００の残高情報受信部１９４は、第１残高情報及び第２残高情報を受信する。そして集計部１９６は、残高情報受信部１９４が受信した第１残高情報及び第２残高情報を用いて、現金保有簿を作成する（ステップＳ８００）。
【００７９】
本実施形態によっても、第１の実施形態と同様の効果を得ることができる。また、現金処理機３００に保持されている現金をオープン出納機４００に集めなくても、任意の勘定系端末２００を操作するのみで、現金保有簿を作成することができる。従って、各店舗における日計店内現金保有簿の作成を省力化することができる。
【００８０】
なお、上記した各実施形態では、勘定系端末２００又はオープン出納機４００が、入金情報と出金情報の一致を確認するようにしたが、連携サーバ１００がこれらの一致を確認するようにしてもよい。
【００８１】
以上、図面を参照して本発明の実施形態について述べたが、これらは本発明の例示であり、上記以外の様々な構成を採用することもできる。
【符号の説明】
【００８２】
１００ 連携サーバ
１１０ 取引開始情報受信部
１２０ 識別情報付与部
１３０ 取引情報記憶部
１４０ 識別情報送信部
１５０ 取引完了情報受信部
１６０ 取引完了処理部
１７０ 取引未完了情報検索部
１８０ 取引情報送信部
１９２ 残高情報要求部
１９４ 残高情報受信部
１９６ 集計部
２００ 勘定系端末
２１０ 入力部
２２０ 取引開始情報送信部
２２５ 未完了検索送信部
２４０ 出力部
２５０ 取引完了情報送信部
２６０ 勘定情報送信部
２７０ 帳簿作成要求送信部
２８０ 残高送信部
３００ 現金処理機
４００ オープン出納機
４１０ 入力部
４２０ 取引開始情報送信部
４４０ 出力部
４５０ 取引完了情報送信部
４６０ 現金処理部
４７０ 残高送信部
５００ 勘定系ホストサーバ
６００ センター装置
【図１】
2012190176.tif 000003
【図２】
2012190176.tif 000004
【図３】
2012190176.tif 000005
【図４】
2012190176.tif 000006
【図５】
2012190176.tif 000007
【図６】
2012190176.tif 000008
【図７】
2012190176.tif 000009
【図８】
2012190176.tif 000010
【図９】
2012190176.tif 000011
【図１０】
2012190176.tif 000012
【図１１】
2012190176.tif 000013
【図１２】
2012190176.tif 000014
【図１３】
2012190176.tif 000015
【図１４】
2012190176.tif 000016